【手続補正書】
【提出日】平成17年6月29日(2005.6.29)
【手続補正１】
【補正対象書類名】特許請求の範囲
【補正対象項目名】全文
【補正方法】変更
【補正の内容】
【特許請求の範囲】
【請求項１】
ポリマーから形成された光学補償フィルムであって、下記条件（Ｉ）を満たし、厚みが、２〜１０μｍの範囲であり、前記ポリマーが、ポリアミド、ポリイミド、ポリエーテルケトン、ポリアミドイミドおよびポリエステルイミドからなる群から選択される少なくとも一種を含むことを特徴とする光学補償フィルム。
３＜（ｎｘ−ｎｚ）／（ｎｘ−ｎｙ）＜８      （Ｉ）
上記式（Ｉ）中、ｎｘ、ｎｙおよびｎｚは、それぞれ、前記光学補償フィルムにおけるＸ軸、Ｙ軸およびＺ軸方向の屈折率を示し、前記Ｘ軸とは、前記光学補償フィルムの面内において最大の屈折率を示す軸方向であり、Ｙ軸は、前記面内において前記Ｘ軸に対して垂直な軸方向であり、Ｚ軸は、前記Ｘ軸およびＹ軸に垂直な厚み方向を示す。
【請求項２】
厚み方向の位相差値（Ｒｔｈ）が、１００ｎｍ以上４００ｎｍ以下である請求項１に記載の光学補償フィルム。ここで、Ｒｔｈ＝（ｎｘ−ｎｚ）ｄであって、ｄは、前記光学補償フィルムの厚みを示す。
【請求項３】
厚み方向の複屈折率（ΔＮｘｚ）が、０．０１以上である請求項１又は請求項２に記載の光学補償フィルム。ここで、ΔＮｘｚ＝（ｎｘ−ｎｚ）である。
【請求項４】
前記ポリマーの重量平均分子量が、１，０００〜１，０００，０００である請求項１から請求項３のいずれか一項に記載の光学補償フィルム。
【請求項５】
前記ポリマーが、ポリイミドを含む請求項１から請求項４のいずれか一項に記載の光学補償フィルム。
【請求項６】
前記ポリイミドが、下記構造式（５）で表される繰り返し単位を含むポリイミドである請求項１から請求項５のいずれか一項に記載の光学補償フィルム。
【化１】
2005114836.tif 000001
上記構造式（５）において、Ｇ及びＧ’は、共有結合、ＣＨ２基、Ｃ（ＣＨ３）２基、Ｃ（ＣＦ３）２基、Ｃ（ＣＸ３）２基（ここで、Ｘは、ハロゲンである。）、ＣＯ基、Ｏ原子、Ｓ原子、ＳＯ２基、Ｓｉ（ＣＨ２ＣＨ３）２基、および、Ｎ（ＣＨ３）基からなる群からそれぞれ独立して選択される基を表し、Ｌは、置換基であって、ハロゲン、Ｃ１−３アルキル基、Ｃ１−３ハロゲン化アルキル基、フェニル基、または、置換フェニル基であり、複数の場合、それぞれ同一であるかまたは異なり、ｅは、Ｌの置換数を表し、０から３までの整数であり、Ｑは、置換基であって、水素、ハロゲン、アルキル基、置換アルキル基、ニトロ基、シアノ基、チオアルキル基、アルコキシ基、アリール基、置換アリール基、アルキルエステル基、および置換アルキルエステル基からなる群から選択される原子または基であり、複数の場合、それぞれ同一であるかまたは異なり、ｆは、Ｑの置換数を表し、０から４までの整数であって、ｇおよびｈは、それぞれ０から３および１から３までの整数である。
【請求項７】
前記置換フェニル基が、ハロゲン、Ｃ１−３アルキル基、およびＣ１−３ハロゲン化アルキル基からなる群から選択される少なくとも一種類の置換基を有する置換フェニル基であり、前記置換アルキル基が、ハロゲン化アルキル基であり、前記置換アリール基が、ハロゲン化アリール基である請求項６に記載の光学補償フィルム。
【請求項８】
前記ポリイミドが、下記構造式（８）で表される繰り返し単位を含むポリイミドである請求項１から請求項７のいずれか一項に記載の光学補償フィルム。
【化２】
2005114836.tif 000002
【請求項９】
前記ポリイミドが、下記構造式（６）で表される繰り返し単位を含むポリイミドである請求項１から請求項５のいずれか一項に記載の光学補償フィルム。
【化３】
2005114836.tif 000003
上記構造式（６）において、Ｇ’は、共有結合、ＣＨ２基、Ｃ（ＣＨ３）２基、Ｃ（ＣＦ３）２基、Ｃ（ＣＸ３）２基（ここで、Ｘは、ハロゲンである。）、ＣＯ基、Ｏ原子、Ｓ原子、ＳＯ２基、Ｓｉ（ＣＨ２ＣＨ３）２基、および、Ｎ（ＣＨ３）基からなる群から選択される基を表し、Ｑは、置換基であって、水素、ハロゲン、アルキル基、置換アルキル基、ニトロ基、シアノ基、チオアルキル基、アルコキシ基、アリール基、置換アリール基、アルキルエステル基、および置換アルキルエステル基からなる群から選択される原子または基であり、複数の場合、それぞれ同一であるかまたは異なり、ｆは、Ｑの置換数を表し、０から４までの整数であって、ｇおよびｈは、それぞれ０から３および１から３までの整数であり、Ｒ１０およびＲ１１は、水素、ハロゲン、フェニル基、置換フェニル基、アルキル基、および置換アルキル基からなる群からそれぞれ独立に選択される基である。
【請求項１０】
前記置換アルキル基が、ハロゲン化アルキル基であり、前記置換アリール基が、ハロゲン化アリール基であり、前記置換フェニル基が、ハロゲン、Ｃ１−３アルキル基、およびＣ１−３ハロゲン化アルキル基からなる群から選択される少なくとも一種類の置換基を有する置換フェニル基である請求項９に記載の光学補償フィルム。
【請求項１１】
前記ポリイミドが、下記構造式（７）で表される繰り返し単位を含むポリイミドである請求項１から請求項５のいずれか一項に記載の光学補償フィルム。
【化４】
2005114836.tif 000004
上記構造式（７）において、Ｇ’は、共有結合、ＣＨ２基、Ｃ（ＣＨ３）２基、Ｃ（ＣＦ３）２基、Ｃ（ＣＸ３）２基（ここで、Ｘは、ハロゲンである。）、ＣＯ基、Ｏ原子、Ｓ原子、ＳＯ２基、Ｓｉ（ＣＨ２ＣＨ３）２基、および、Ｎ（ＣＨ３）基からなる群から選択される基を表し、Ｌは、置換基であって、ハロゲン、Ｃ１−３アルキル基、Ｃ１−３ハロゲン化アルキル基、フェニル基、または、置換フェニル基であり、複数の場合、それぞれ同一であるかまたは異なり、ｄは、Ｌの置換数を表し、０から２までの整数であり、Ｑは、置換基であって、水素、ハロゲン、アルキル基、置換アルキル基、ニトロ基、シアノ基、チオアルキル基、アルコキシ基、アリール基、置換アリール基、アルキルエステル基、および置換アルキルエステル基からなる群から選択される原子または基であり、複数の場合、それぞれ同一であるかまたは異なり、ｆは、Ｑの置換数を表し、０から４までの整数であって、ｇおよびｈは、それぞれ０から３および１から３までの整数であり、Ｍ１およびＭ２は、同一であるかまたは異なり、ハロゲン、Ｃ１−３アルキル基、Ｃ１−３ハロゲン化アルキル基、フェニル基、または、置換フェニル基である。
【請求項１２】
前記置換フェニル基が、ハロゲン、Ｃ１−３アルキル基、およびＣ１−３ハロゲン化アルキル基からなる群からそれぞれ独立して選択される少なくとも一種類の置換基を有する置換フェニル基であり、前記置換アルキル基が、ハロゲン化アルキル基であり、前記置換アリール基が、ハロゲン化アリール基である請求項１１に記載の光学補償フィルム。
【請求項１３】
請求項１から請求項１２にいずれか一項に記載の光学補償フィルムの少なくとも一方の表面に、接着剤層又は粘着剤層をさらに備える光学補償フィルム。
【請求項１４】
請求項１から請求項１３のいずれか一項に記載の光学補償フィルムを含む光学補償層付偏光板。
【請求項１５】
液晶セルおよび光学部材を含み、前記液晶セルの少なくとも一方の表面に前記光学部材が配置された液晶パネルであって、前記光学部材が、請求項１から１３のいずれか一項に記載の光学補償フィルム及び請求項１４に記載の光学補償層付偏光板の少なくとも一つである液晶パネル。
【請求項１６】
液晶パネルを含む液晶表示装置であって、前記液晶パネルが請求項１５に記載の液晶パネルである液晶表示装置。
【請求項１７】
前記液晶パネルの液晶セルが、ＶＡ（垂直配向）モードである請求項１６に記載の液晶表示装置。
【請求項１８】
請求項１から１３に記載の光学補償フィルムおよび請求項１４に記載の光学補償層付偏光板の少なくとも一つを含む画像表示装置。
【手続補正２】
【補正対象書類名】明細書
【補正対象項目名】０００６
【補正方法】変更
【補正の内容】
【０００６】
前記目的を達成するために、本発明の光学補償フィルムは、ポリマーから形成された光学補償フィルムであって、下記条件（Ｉ）を満たし、厚みが、２〜１０μｍの範囲であり、前記ポリマーが、ポリアミド、ポリイミド、ポリエーテルケトン、ポリアミドイミドおよびポリエステルイミドからなる群から選択される少なくとも一種を含む。
３＜（ｎｘ−ｎｚ）／（ｎｘ−ｎｙ）＜８      （Ｉ）
上記条件（Ｉ）中、ｎｘ、ｎｙおよびｎｚは、それぞれ、前記光学補償フィルムにおけるＸ軸、Ｙ軸およびＺ軸方向の屈折率を示し、前記Ｘ軸とは、前記光学補償フィルムの面内において最大の屈折率を示す軸方向であり、Ｙ軸は、前記面内において前記Ｘ軸に対して垂直な軸方向であり、Ｚ軸は、前記Ｘ軸およびＹ軸に垂直な厚み方向を示す。なお、前記条件（Ｉ）からわかるように、本発明の光学補償フィルムは、ｎｘ＞ｎｙ＞ｎｚを示す二軸性の複屈折フィルムである。